【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
給水源から供給される洗浄水を人体に噴出する衛生洗浄装置であって、
前記給水源から供給される洗浄水を加熱する洗浄水加熱手段と、
前記洗浄水加熱手段により加熱された洗浄水を人体に噴出する噴出手段と、
交流電源から前記洗浄水加熱手段への電力の供給および前記給水源から前記洗浄水加熱手段への洗浄水の供給を制御する制御手段とを備え、
前記制御手段は、
前記洗浄水加熱手段に残留する洗浄水が使用温度以上の高温に加熱された場合にこの高温水を排出するために要する第１の時間を予め設定し、前記噴出手段による人体の洗浄の開始時に、前記給水源からの洗浄水を前記洗浄水加熱手段に供給した後、前記第１の時間経過後に前記洗浄水加熱手段に通電することを特徴とする衛生洗浄装置。
【請求項２】
前記制御手段は、
前記洗浄水加熱手段の加熱および洗浄水の供給を停止する場合に前記洗浄水加熱手段の余熱により前記洗浄水加熱手段に残留する洗浄水が使用温度以上の高温にならないように洗浄水の供給の停止を前記洗浄水加熱手段の加熱の停止よりも遅延させるための第２の時間を予め設定し、前記噴出手段による人体の洗浄の終了時に、前記洗浄水加熱手段への通電を停止し、前記第２の時間経過後に前記給水源から前記洗浄水加熱手段への洗浄水の供給を停止することを特徴とする請求項１記載の衛生洗浄装置。
【請求項３】
給水源から供給される洗浄水を人体に噴出する衛生洗浄装置であって、
前記給水源から供給される洗浄水を加熱する洗浄水加熱手段と、
前記洗浄水加熱手段により加熱された洗浄水を人体に噴出する噴出手段と、
交流電源から前記洗浄水加熱手段への電力の供給および前記給水源から前記洗浄水加熱手段への洗浄水の供給を制御する制御手段とを備え、
前記制御手段は、
前記洗浄水加熱手段の加熱および洗浄水の供給を停止する場合に前記洗浄水加熱手段の余熱により前記洗浄水加熱手段に残留する洗浄水が使用温度以上の高温にならないように洗浄水の供給の停止を前記洗浄水加熱手段の加熱の停止よりも遅延させる第２の時間を予め設定し、前記噴出手段による人体の洗浄の終了時に、前記洗浄水加熱手段への通電を停止し、前記第２の時間経過後に前記給水源から前記洗浄水加熱手段への洗浄水の供給を停止することを特徴とする衛生洗浄装置。
【請求項４】
前記洗浄水加熱手段により加熱された洗浄水を前記噴出手段に供給するポンプをさらに備え、
前記噴出手段は、
洗浄水を噴出する人体ノズルと、
前記人体ノズルによる人体の洗浄前および洗浄後に前記人体ノズルの先端を収容するノズル先端収容部とを含み、
前記制御手段は、前記噴出手段による人体の洗浄前に前記人体ノズルから前記ノズル先端収容部内に洗浄水が噴出されるように前記ポンプを制御することを特徴とする請求項１〜３のいずれかに記載の衛生洗浄装置。
【請求項５】
前記噴出手段を洗浄する洗浄手段洗浄ノズルと、
前記洗浄水加熱手段からの洗浄水を前記噴出手段または前記洗浄手段洗浄ノズルに切り替えて供給する切替弁とをさらに備え、
前記制御手段は、前記噴出手段による人体の洗浄前および洗浄後の少なくとも一方において、前記洗浄水加熱手段からの洗浄水が前記洗浄手段洗浄ノズルに供給されるように前記切替弁を制御することを特徴とする請求項１〜４のいずれかに記載の衛生洗浄装置。
【請求項６】
前記洗浄水加熱手段は、前記給水源から供給される洗浄水を加熱する複数の加熱器を含むことを特徴とする請求項１〜５のいずれかに記載の衛生洗浄装置。
【手続補正２】
【補正対象書類名】明細書
【補正対象項目名】０００８
【補正方法】変更
【補正の内容】
【０００８】
（１）第１の発明に係る衛生洗浄装置は、給水源から供給される洗浄水を人体に噴出する衛生洗浄装置であって、給水源から供給される洗浄水を加熱する洗浄水加熱手段と、洗浄水加熱手段により加熱された洗浄水を人体に噴出する噴出手段と、交流電源から洗浄水加熱手段への電力の供給および給水源から洗浄水加熱手段への洗浄水の供給を制御する制御手段とを備え、制御手段は、洗浄水加熱手段に残留する洗浄水が使用温度以上の高温に加熱された場合にこの高温水を排出するために要する第１の時間を予め設定し、噴出手段による人体の洗浄の開始時に、給水源からの洗浄水を前記洗浄水加熱手段に供給した後、第１の時間経過後に前記洗浄水加熱手段に通電するものである。
【手続補正３】
【補正対象書類名】明細書
【補正対象項目名】００１０
【補正方法】変更
【補正の内容】
【００１０】
この場合、噴出手段による人体の洗浄の開始時に、給水源からの洗浄水が洗浄水加熱手段に供給され、第１の時間経過後に洗浄水加熱手段に通電される。それにより、給水源から新たに供給される洗浄水により洗浄水加熱手段が冷却される。したがって、洗浄水加熱手段に通電されたときに洗浄水加熱手段が過度に発熱することが防止される。その結果、使用者の局部に高温の洗浄水が噴出されることが十分に防止される。
【手続補正４】
【補正対象書類名】明細書
【補正対象項目名】００１２
【補正方法】変更
【補正の内容】
【００１２】
（２）制御手段は、洗浄水加熱手段の加熱および洗浄水の供給を停止する場合に洗浄水加熱手段の余熱により洗浄水加熱手段に残留する洗浄水が使用温度以上の高温にならないように洗浄水の供給の停止を洗浄水加熱手段の加熱の停止よりも遅延させる第２の時間を予め設定し、噴出手段による人体の洗浄の終了時に、洗浄水加熱手段への通電を停止し、第２の時間経過後に給水源から洗浄水加熱手段への洗浄水の供給を停止することにより洗浄水加熱手段を冷却してもよい。
【手続補正５】
【補正対象書類名】明細書
【補正対象項目名】００１３
【補正方法】変更
【補正の内容】
【００１３】
この場合、洗浄水加熱手段の余熱は、給水源から新たに供給される洗浄水により洗浄水加熱手段が冷却される。したがって、使用者の局部の洗浄直後に、再度洗浄が開始される場合でも、洗浄水加熱手段により高温に加熱された洗浄水が使用者の局部に噴出されることが十分に防止される。
【手続補正６】
【補正対象書類名】明細書
【補正対象項目名】００１４
【補正方法】変更
【補正の内容】
【００１４】
（３）第２の発明に係る衛生洗浄装置は、給水源から供給される洗浄水を人体に噴出する衛生洗浄装置であって、給水源から供給される洗浄水を加熱する洗浄水加熱手段と、洗浄水加熱手段により加熱された洗浄水を人体に噴出する噴出手段と、交流電源から洗浄水加熱手段への電力の供給および給水源から洗浄水加熱手段への洗浄水の供給を制御する制御手段とを備え、制御手段は、洗浄水加熱手段の加熱および洗浄水の供給を停止する場合に洗浄水加熱手段の余熱により洗浄水加熱手段に残留する洗浄水が使用温度以上の高温にならないように洗浄水の供給の停止を洗浄水加熱手段の加熱の停止よりも遅延させる第２の時間を予め設定し、噴出手段による人体の洗浄の終了時に、洗浄水加熱手段への通電を停止し、第２の時間経過後に給水源から洗浄水加熱手段への洗浄水の供給を停止することにより洗浄水加熱手段を冷却するものである。
【手続補正７】
【補正対象書類名】明細書
【補正対象項目名】００１６
【補正方法】変更
【補正の内容】
【００１６】
この場合、噴出手段による人体の洗浄の終了時に、通電が停止し、第２の時間経過後に、給水源から洗浄水加熱手段への洗浄水の供給が停止される。それにより、洗浄水加熱手段の余熱は、給水源から新たに供給される洗浄水により洗浄水加熱手段が冷却される。したがって、使用者の局部の洗浄直後に、再度洗浄が開始される場合でも、洗浄水加熱手段により高温に加熱された洗浄水が使用者の局部に噴出されることが十分に防止される。
【手続補正８】
【補正対象書類名】明細書
【補正対象項目名】０６７２
【補正方法】変更
【補正の内容】
【０６７２】
上記実施の形態では、熱交換器９が洗浄水加熱手段の例であり、ノズル部２０が噴出手段の例であり、制御部９０が制御手段の例であり、おしりノズル２１またはビデノズル２２が人体ノズルの例であり、ノズル先端収容部２５がノズル先端収容部の例であり、ポンプ１１がポンプの例であり、ノズル洗浄ノズル２３が洗浄手段洗浄ノズルの例であり、人体用切替弁１３が切替弁の例である。一次側シーズヒータ９１および二次側シーズヒータ９２が複数の加熱器の例であり、二次側シーズヒータ９２が第１の加熱器の例であり、一次側シーズヒータ９１が第２の加熱器の例である。微小期間ＤＴ１が第１の時間の例であり、微小期間ＤＴ２が第２の期間の例である。